(57)【特許請求の範囲】
【請求項１】
回転つまみを回転することでその電気的出力を変化せしめる回転式電子部品を基台上に取り付けるとともに、該基台を取付台に上下動自在に取り付け、回転つまみをその半径方向に押圧することで回転式電子部品全体を取付台に対して下降させることで基台と取付台の間に設けたスイッチ接点をオンオフする構造の押釦スイッチ付き回転式電子部品において、
前記基台と取付台には、基台が取付台に対して上下動する方向にガイドする上下動ガイド機構が設けられ、該上下動ガイド機構は、基台又は取付台の上端に上下方向を向く突部を設け、一方基台又は取付台の前記突部を設けない側の部材の上端に該突部を上下動自在に挿入する貫通孔からなるガイド部を設けることで構成されていることを特徴とする押釦スイッチ付き回転式電子部品。
【請求項２】
前記基台と取付台にはさらに、前記基台を取付台にスナップイン係合して基台の取付台からの上方向への抜けを防止するスナップイン機構を設けたことを特徴とする請求項１に記載の押釦スイッチ付き回転式電子部品。
【請求項３】
前記基台と取付台にはさらに、基台が取付台から離れる方向に移動するのを規制する前後動規制機構が設けられ、該前後動規制機構は、基台又は取付台に上下方向に延びるレールを設け、一方基台又は取付台の前記レールを設けない側の部材に該レールに係合する係合片を設け、該係合片を基台が取付台から離れず且つ上下動自在となるように前記レールに係合することで構成されていることを特徴とする請求項１又は２に記載の押釦スイッチ付き回転式電子部品。
【発明の詳細な説明】
【０００１】
【発明の属する技術分野】
本発明は、回転式スイッチ等の回転式電子部品に押釦スイッチの機能を設けた押釦スイッチ付き回転式電子部品に関するものである。
【０００２】
【従来の技術】
従来、回転式スイッチの回転つまみを回転することによってそのスイッチの切り換えを行なうと共に、該回転つまみを回転しないで半径方向に押し込むことで別の押釦スイッチをオンオフする構造の押釦スイッチ付き回転式電子部品が開発されている。
【０００３】
【特許文献１】
実開平５−５５４３２号公報
【０００４】
【発明が解決しようとする課題】
ところで回転つまみを押し込むことで別の押釦スイッチをオンオフさせる際は、回転式電子部品全体を他の部材に対してスライドさせる必要があるが、そのために以下のような問題点があった。
【０００５】
▲１▼回転式電子部品全体を他の部材に対してスライドさせる機構が複雑で部品点数が多くなり、またその組み立ても煩雑で製造コストが高くなっていた。
【０００６】
▲２▼回転式電子部品全体を他の部材に対して押し込んでスライドさせた際に、回転式電子部品が前後方向又は左右方向にガタつく恐れがあった。
【０００７】
本発明は上述の点に鑑みてなされたものでありその目的は、回転式電子部品全体を他の部材に対してスライドさせる機構が簡単で部品点数が少なく、その組み立ても容易で製造コストの低減化が図れる押釦スイッチ付き回転式電子部品を提供することにある。
【０００８】
また本発明の目的は、構造が簡単であるにもかかわらず、回転式電子部品全体を他の部材に対して押し込んでスライドさせた際にガタを生じる恐れのない押釦スイッチ付き回転式電子部品を提供することにある。
【０００９】
【課題を解決するための手段】
上記問題点を解決するため本願発明は、回転つまみを回転することでその電気的出力を変化せしめる回転式電子部品を基台上に取り付けるとともに、該基台を取付台に上下動自在に取り付け、回転つまみをその半径方向に押圧することで回転式電子部品全体を取付台に対して下降させることで基台と取付台の間に設けたスイッチ接点をオンオフする構造の押釦スイッチ付き回転式電子部品において、前記基台と取付台には、基台が取付台に対して上下動する方向にガイドする上下動ガイド機構が設けられ、該上下動ガイド機構は、基台又は取付台の上端に上下方向を向く突部を設け、一方基台又は取付台の前記突部を設けない側の部材の上端に該突部を上下動自在に挿入する貫通孔からなるガイド部を設けることで構成されていることを特徴とする。ここで前記基台と取付台には、前記基台を取付台にスナップイン係合して基台の取付台からの上方向への抜けを防止するスナップイン機構を設けることが好ましい。
また前記基台と取付台には、基台が取付台から離れる方向に移動するのを規制する前後動規制機構が設けられ、該前後動規制機構は、基台又は取付台に上下方向に延びるレールを設け、一方基台又は取付台の前記レールを設けない側の部材に該レールに係合する係合片を設け、該係合片を基台が取付台から離れず且つ上下動自在となるように前記レールに係合することで構成されていることが好ましい。
また前記基台と取付台には、基台が取付台に対して幅方向に移動するのを規制する幅方向移動規制機構が設けられ、該幅方向移動規制機構は、基台又は取付台に上下方向に延びてその左右両側辺が平行な孔又は凹部を設け、一方基台又は取付台の前記孔又は凹部を設けない側の部材にその幅が前記孔又は凹部の幅とほぼ同一で且つ前記孔又は凹部内に上下動自在に挿入される係合部を設け、該係合部を前記孔又は凹部に係合させることによって上下動自在で且つ基台が取付台に対して幅方向に移動するのを規制するように構成されていることが好ましい。
【００１０】
【発明の実施の形態】
以下、本願発明の実施形態を図面に基づいて詳細に説明する。
【００１１】
図１は本願発明の一実施形態にかかる押釦スイッチ付き回転式電子部品の分解斜視図であり、図２は該押釦スイッチ付き回転式電子部品を図１の反対側から見た分解斜視図である。
【００１２】
両図に示すようにこの押釦スイッチ付き回転式電子部品は、回転つまみ２０とフレキシブル基板３０と基台４０とクリック板６０とからなる回転式電子部品１０と、該回転式電子部品の基台４０を取り付ける取付台７０と、スイッチ板９０とを具備して構成されている。以下各構成部品について説明する。
【００１３】
回転つまみ２０は合成樹脂を円板状に成形して構成されており、その中央に貫通孔２１を設け、その一方の面に金属板製の摺動子２３を固定し、他方の面の貫通孔２１の周囲にリング状に凹凸２５を設けて構成されている。
【００１４】
フレキシブル基板３０は略円形に形成された回路パターン形成部３１の外周から引出部３３を引き出して構成されており、回路パターン形成部３１の中央には貫通孔３５が設けられ、貫通孔３５の周囲の一方の面上にはリング状に所望のパターン（可変抵抗器用の抵抗体パターンでもスイッチ用のスイッチパターンでも良い）３７が設けられている。また引出部３３の所定位置には小孔３９が設けられている。
【００１５】
基台４０は合成樹脂を板状に成形することで構成されており、その上部に半円板形状の基板取付部４１を設け、その一方の面の中央に軸支突起４３を設け、また該面の下方には小突起４５を設けている。なお軸支突起４３は回転つまみ２０の貫通孔２１に回転自在に挿入される円柱状の部分の先端部分に横断面小判型に形成した部分（この先端部分に下記するクリック板６０の嵌合孔６１が嵌合して固定される）を設けて構成されている。
【００１６】
一方基台４０の反対側の面の上端中央部からは舌片状の板部４７を突出して設け、該板部４７中に円形の貫通するガイド部４９を設けている。
【００１７】
また基台４０の板部４７の下方には、略舌片状に突出する係止片５１が設けられ、その下にはさらに略舌片状に突出する係合部５３が設けられている。係合部５３の幅は下記する取付台７０に設けた孔７９の幅とほぼ同一（孔７９の幅よりも若干小さい寸法）に形成されている。
【００１８】
また基台４０の係合部５３の左右両側には、それぞれその先端が外向きにＬ字状に折れ曲げられてなる係合片５５，５５が突設されている。また基台４０の下端片中央には押圧部５７が突設されている。
【００１９】
次にクリック板６０は弾性金属板を略円板状に加工して構成されており、その中央に前記軸支突起４３先端の小判形状部分を嵌合する嵌合孔６１を設け、その外周近傍に円弧状のスリットを設けることで円弧状の２つのアーム６３，６３を形成し、各アーム６３，６３の中央に一方の面側に突出するように湾曲してなる弾発部６５，６５を設けて構成されている。
【００２０】
そしてこの回転式電子部品１０を組み立てるには、まず基台４０の軸支突起４３と小突起４５とをそれぞれフレキシブル基板３０の貫通孔３５と小孔３９に挿入して小突起４５を熱カシメすることで基板取付部４１にフレキシブル基板３０の回路パターン形成部３１を取り付ける。
【００２１】
次に軸支突起４３を回転つまみ２０の貫通孔２１とクリック板６０の嵌合孔６１に挿入し、軸支突起４３の先端を熱カシメする。これによって回転式電子部品１０が完成する。
【００２２】
次に取付台７０は、平板状の本体部７１と、該本体部７１の下端辺を直角に折り曲げてなる底部７３と、本体部７１の１側辺を直角に折り曲げてなる側板部７６とを一体に成形することで構成されている。
【００２３】
本体部７１の上端辺中央には凹部７５が設けられ、その内部には上方向に向かって垂直に延びる円柱状の突部７７が設けられている。
【００２４】
凹部７５の真下には、上下方向に延びる長方形状の貫通する孔７９が設けられ、その内部にはその下端面から棒状の弾性部材８１を上方向に向かって突出している。弾性部材８１の上端には爪形状の係止部８３が設けられている。
【００２５】
貫通孔７９の両側にも、上下方向に延びる貫通孔８５，８５が設けられており、該貫通孔８５，８５のそれぞれの内側面には、上下方向に延びるレール８７，８７が設けられている。
【００２６】
また底部７３の所定位置には２つの小突起８９，８９が設けられている。
【００２７】
次にスイッチ板９０は、フレキシブル基板９１に設けたスイッチ接点の上に弾性金属板製のクリック板９３を取り付けて構成されている。
【００２８】
この押釦スイッチ付き回転式電子部品を組み立てるには、図３（ａ），（ｂ）に示すように、まず取付台７０の底部７３にスイッチ板９０を載置してスイッチ板９０の取付孔９５，９５（図１，２参照）に挿入した小突起８９，８９を熱カシメすることで固定する。
【００２９】
次に前記組み立てられた回転式電子部品１０の基台４０の外側の面を取付台７０の本体部７１の面に当接する。その際、板部４７を突部７７の上方に位置せしめ、係止片５１と係合部５３とを孔７９内に挿入し（係止部８３は係止片５１と係合部５３の間に位置する）、係合片５５，５５を貫通孔８５，８５内のレール８７，８７の上部に挿入する。
【００３０】
そして図３に示す状態から回転式電子部品１０を下方向に押圧して矢印Ａ方向にスライド移動させれば、係合片５５，５５の先端のＬ字状に屈曲する部分がレール８７，８７に係合すると共に係止片５１が係止部８３を押圧して弾性部材８１を矢印Ｂ方向に撓めながら該係止部８３の下側にスナップイン係合され、そのとき同時に突部７７がガイド部４９内に挿入され、図４（ａ），（ｂ）に示す状態になる。なおこの係止片５１と弾性部材８１とによってスナップイン機構が構成されている。また押圧部５７はクリック板９３の上に位置する。
【００３１】
つまり本実施形態によれば、回転式電子部品１０を取付台７０にスナップイン係合させるだけで、ワンタッチで容易に押釦スイッチ付き回転式電子部品を組み立てることができる。なおこの押釦スイッチ付き回転式電子部品を組み立てた後は、係止片５１と係止部８３の係合によって回転式電子部品１０が取付台７０から外れる恐れはなくなる。
【００３２】
そして回転つまみ２０を回転すれば、摺動子２３がフレキシブル基板３０のパターン３７上を摺動してその電気的出力（例えば抵抗値の出力やオンオフ状態の出力）が変化する。なお回転つまみ２０の回転時にはクリック板６０の弾発部６５，６５が回転つまみ２０の凹凸２５に係合離脱してクリック感覚を生じる。
【００３３】
次にこの回転つまみ２０を真下方向（半径方向）、即ち図４（ｂ）に示す矢印Ａ方向に押圧すると、回転式電子部品１０全体が取付台７０に対して真下にスライド移動して押圧部５７がクリック板９３を押圧してスイッチ板９０のスイッチ接点をオンする。
【００３４】
ところで本実施形態においては、回転式電子部品１０が取付台７０に対してがたつくことはない。以下その理由を説明する。
【００３５】
なおここで前記突部７７とガイド部４９の係合する機構を上下動ガイド機構と言い、係合片５５，５５とレール８７，８７の係合する機構を前後動規制機構と言い、係合部５３を孔７９に挿入した機構を幅方向移動規制機構と言う。
【００３６】
即ち本実施形態においては前記突部７７とガイド部４９からなる上下動ガイド機構によって回転式電子部品１０が図４（ｂ）の左右方向（幅方向、即ち矢印Ｄ方向）と紙面手前奥方向（基台４０が取付台７０から離れる方向、即ち矢印Ｅ方向）へのガタを防止している。また係合片５５，５５とレール８７，８７からなる前後動規制機構によって図の紙面手前奥方向（矢印Ｅ方向）へのガタを防止している。また幅方向移動規制機構を構成する係合部５３の横幅を孔７９の横幅とほぼ同一に形成したので、係合部５３の左右両側辺と孔７９の左右両側辺との当接によって図４（ｂ）の左右方向（矢印Ｄ方向）へのガタを防止している。
【００３７】
つまり取付台７０に対して回転式電子部品１０は直交する左右方向と紙面手前奥方向について移動できないように規制しているので、全ての方向のガタを防止できる。
【００３８】
なお上記実施形態では取付台７０に突部７７を設け、基台４０にガイド部４９を設けたが、逆に取付台７０にガイド部を設け、基台４０に突部を設けて上下動ガイド機構を構成しても良い。
【００３９】
また上記実施形態では取付台７０にレール８７，８７を設け、基台４０に係合片５５，５５を設けたが、逆に取付台７０に係合片を設け、基台４０にレールを設けて前後動規制機構を構成しても良い。
【００４０】
また上記実施形態では取付台７０に孔７９を設け、基台４０に係合部５３を設けたが、逆に取付台７０に係合部を設け、基台４０に孔を設けて幅方向移動規制機構を構成しても良い。
【００４１】
また上記実施形態では取付台７０に貫通する孔７９を設けたが、貫通孔の代わりに、上下方向に延びる長方形状（長方形状でなくても、上下方向に延びる左右の辺が平行になっている形状ならばどのような形状でも良い）の貫通しない凹部を設けても良い。
【００４２】
また上記実施形態では取付台７０に弾性部材８１を設け、基台４０に係止片５１を設けたが、逆に取付台７０に係止片を設け、基台４０に弾性部材を設けてスナップイン機構を構成しても良い。
【００４３】
また上記実施形態では取付台７０にスイッチ板９０を取り付け、基台４０に押圧部５７を設けたが、逆に取付台７０に押圧部を設け、基台４０にスイッチ板を取り付けてもよい。
【００４４】
なお回転式電子部品１０の内部構造はこの実施形態に限定されず、要は回転つまみを回転することでその電気的出力を変化せしめる回転式電子部品であればどのような構造の回転式電子部品でも良い。
【００４５】
【発明の効果】
以上詳細に説明したように本発明によれば以下のような優れた効果を有する。
▲１▼回転式電子部品全体を取付台に対してスライド自在に保持させる機構が簡単である。
【００４６】
▲２▼押釦スイッチ付き回転式電子部品を構成する部品点数を少なくできる。
【００４７】
▲３▼組み立てが容易で製造コストの低減化が図れる。
【００４８】
▲４▼上下動ガイド機構を設けたので、構造が簡単であるにもかかわらず、回転式電子部品全体を取付台に対して押し込んでスライドさせようとした際に、前後方向と幅方向の両方向のガタの防止が確実に行なえる。
【図面の簡単な説明】
【図１】本願発明の一実施形態にかかる押釦スイッチ付き回転式電子部品の分解斜視図である。
【図２】押釦スイッチ付き回転式電子部品を図１の反対側から見た分解斜視図である。
【図３】図３（ａ），（ｂ）は押釦スイッチ付き回転式電子部品の組み立て工程を示す概略側断面図である。
【図４】図４（ａ），（ｂ）は組み立てた押釦スイッチ付き回転式電子部品の概略側断面図である。
【符号の説明】
１０  回転式電子部品
２０  回転つまみ
４０  基台
５７  押圧部
７０  取付台
９０  スイッチ板
５１  係止片（スナップイン機構）
８１  弾性部材（スナップイン機構）
８３  係止部（スナップイン機構）
４９  ガイド部（上下動ガイド機構）
７７  突部（上下動ガイド機構）
５５  係合片（前後動規制機構）
８７  レール（前後動規制機構）
５３  係合部（幅方向移動規制機構）
７９  孔（幅方向移動規制機構）
【図１】
0003798361.tif 000002
【図２】
0003798361.tif 000003
【図３】
0003798361.tif 000004
【図４】
0003798361.tif 000005